(57)【要約】      （修正有）【課題】画素による光漏れに起因する色ずれの現象を改善でき、さらに、表示パネルの表示品質を向上できる表示パネル及び表示装置を提供する。【解決手段】表示パネル１は、第１基板１１と、第１基板１１に対向して設けられた第２基板１２と、画素アレイと、遮光層ＢＭとを含む。画素アレイは、第１基板１１に配置され、少なくとも１つの画素Ｐ１，Ｐ２を含み、画素Ｐ１，Ｐ２は、第１電極層１４１を有し、第１電極層１４１は、複数の電極部１４１１を有する。遮光層ＢＭは、第１方向Ｘに沿って第２基板１２に間隔をおいて配置されるとともに、第１遮光部ＢＭ１と第２遮光部ＢＭ２を有し、第１電極層１４１は、第１遮光部ＢＭ１と第２遮光部ＢＭ２との間に対応して設けられる。【選択図】図１Ｂ
0003194108.tif 000002
【実用新案登録請求の範囲】
【請求項１】
表示パネルであって、
第１基板と、第２基板と、画素アレイと、遮光層とを含み、
前記第２基板は、前記第１基板に対向して設けられ、
前記画素アレイは、前記第１基板に配置されるとともに、前記第１基板と前記第２基板との間に位置し、少なくとも１つの画素を含み、前記画素は、第１電極層を有し、前記第１電極層は、複数の電極部を有し、前記複数の電極部は、第１方向に沿って互いに一定の距離をおいて配置され、
前記遮光層は、前記第１方向に沿って前記第２基板に間隔をおいて配置されるとともに、第１遮光部と第２遮光部を有し、
前記第１電極層は、前記第１遮光部と前記第２遮光部との間に対応して設けられ、
前記第１遮光部は、前記第１方向に沿って前記第１電極層から離れた第１エッジを有し、
前記複数の電極部は、前記第１遮光部に近い第１電極部を含み、
光線が前記画素を通過する際に、前記画素は、前記第１方向に沿って輝度分布を有し、前記輝度分布は、前記第１電極部と前記第１遮光部との間に対応する第１輝度最大値を有し、前記第１輝度最大値は、前記第２基板の第１位置に対応し、
前記第１方向に沿って前記第１位置から前記第１エッジまでの最小幅をＰＴＢ、前記画素が前記第１方向に沿う幅をＰｘ、並びにＰＴＢ及びＰｘの単位をμｍとしたとき、ＰＴＢ及びＰｘは、下記の式を満たすことを特徴とする表示パネル。
【数１】
0003194108.tif 000015
【請求項２】
ＰＴＢ及びＰｘは、さらに、下記の式を満たすことを特徴とする請求項１に記載の表示パネル。
【数２】
0003194108.tif 000016
【請求項３】
前記複数の電極部は、さらに、前記第２遮光部に近い第２電極部を含み、
前記輝度分布は、さらに、前記第２電極部と前記第２遮光部との間に対応する第２輝度最大値を有し、前記第２輝度最大値は、前記第２基板の第２位置に対応し、
前記第１方向に沿って前記第２位置から前記第１位置までの最大幅をｍ、前記第１遮光部が前記第１方向に沿う幅をＢ、並びにｍ及びＢの単位をμｍとしたとき、ｍ及びＢは、下記の式を満たすことを特徴とする請求項１に記載の表示パネル。
PTB＝(Px+B-m)/2
【請求項４】
前記第１電極層は、さらに、第１接続部を有し、前記第１接続部は、前記複数の電極部の対向する両側に位置するとともに、前記複数の電極部に接続されることを特徴とする請求項１に記載の表示パネル。
【請求項５】
前記第１電極層は、さらに、第２接続部を有し、前記第２接続部は、前記複数の電極部の外側周縁に周設されるとともに、前記複数の電極部に接続されることを特徴とする請求項１に記載の表示パネル。
【請求項６】
表示パネルを含む表示装置であって、
前記表示パネルは、第１基板と、第２基板と、画素アレイと、遮光層とを含み、
前記第２基板は、前記第１基板に対向して設けられ、
前記画素アレイは、前記第１基板に配置されるとともに、前記第１基板と前記第２基板との間に位置し、少なくとも１つの画素を含み、前記画素は、第１電極層を有し、前記第１電極層は、複数の電極部を有し、前記複数の電極部は、第１方向に沿って互いに一定の距離をおいて配置され、
前記遮光層は、前記第１方向に沿って前記第２基板に間隔をおいて配置されるとともに、第１遮光部と第２遮光部を有し、
前記第１電極層は、前記第１遮光部と前記第２遮光部との間に対応して設けられ、
前記第１遮光部は、前記第１方向に沿って、前記第１電極層から離れた第１エッジを有し、
前記複数の電極部は、前記第１遮光部に近い第１電極部を含み、
光線が前記画素を通過する際に、前記画素は、前記第１方向に沿って輝度分布を有し、前記輝度分布は、さらに、前記第１電極部と前記第１遮光部との間に対応する第１輝度最大値を有し、前記第１輝度最大値は、前記第２基板の第１位置に対応し、
前記第１方向に沿って前記第１位置から前記第１エッジまでの最小幅をＰＴＢ、前記画素が前記第１方向に沿う幅をＰｘ、並びにＰＴＢ及びＰｘの単位をμｍとしたとき、ＰＴＢ及びＰｘは、下記の式を満たすことを特徴とする表示装置。
【数３】
0003194108.tif 000017
【請求項７】
ＰＴＢ及びＰｘは、さらに、下記の式を満たすことを特徴とする請求項６に記載の表示装置。
【数４】
0003194108.tif 000018
【請求項８】
前記複数の電極部は、さらに、前記第２遮光部に近い第２電極部を含み、
前記輝度分布は、前記第２電極部と前記第２遮光部との間に対応する第２輝度最大値を有し、前記第２輝度最大値は、前記第２基板の第２位置に対応し、
前記第１方向に沿って前記第２位置から前記第１位置までの最大幅をｍ、前記第１遮光部が前記第１方向に沿う幅をＢ、並びにｍ及びＢの単位をμｍとしたとき、ｍ及びＢは、下記の式を満たすことを特徴とする請求項６に記載の表示装置。
PTB＝(Px+B-m)/2
【請求項９】
前記第１電極層は、さらに、第１接続部を有し、前記第１接続部は、前記複数の電極部の対向する両側に位置するとともに、前記複数の電極部に接続されることを特徴とする請求項６に記載の表示装置。
【請求項１０】
前記第１電極層は、さらに、第２接続部を有し、前記第２接続部は、前記複数の電極部の外側周縁に周設されるとともに、前記複数の電極部に接続されることを特徴とする請求項６に記載の表示装置。
【考案の詳細な説明】
【技術分野】
【０００１】
本考案は、表示パネル及び表示装置に関し、特に、画素による光漏れに起因する色ずれ現象を改善することができる表示パネル及び表示装置に関する。
【背景技術】
【０００２】
技術の進歩につれ、フラットパネル表示装置が様々な分野に幅広く使用されるようになる。特に、軽薄性，低消費電力性，非放射性に優れた液晶表示パネルは、従来の陰極線管表示装置の代わりに、例えば、携帯電話、携帯型マルチメディア装置、ノートパソコン、液晶テレビ、液晶スクリーンなどの様々な電子製品に使用されている。
【０００３】
従来の液晶表示装置は、対向して配置された液晶表示パネル（ＬＣＤ  Ｐａｎｅｌ）とバックライトモジュール（Ｂａｃｋｌｉｇｈｔ  Ｍｏｄｕｌｅ）を含むことが知られている。液晶表示装置は、カラーフィルター基板と、薄膜トランジスタ基板と、その２つの基板に介在する液晶層とを含み、カラーフィルター基板及び薄膜トランジスタ基板と液晶層によって複数のアレイが配置された画素が形成され、かつ各画素は複数の液晶分子を有する。バックライトモジュールによって発光された光線が液晶表示パネルを通過し、液晶表示パネルにおける各画素により色が表示されることによって、画像が形成されることができる。
【０００４】
また、従来の液晶表示装置は、画素電極と共通電極との間に形成された電界によって、画素における液晶分子を回転させるように制御することによって、明暗の階調変化を有する。しかし、隣接する２つの画素において、１つの画素が明るい状態で、もう１つの画素が暗い状態であるときに、暗状態の画素が明状態の画素の電界分布の影響を受け、暗い状態である画素の明い状態である画素に近いエッジにある液晶分子も回転し、さらに、暗い状態である画素による光漏れの現象が生じるため、液晶表示パネルの色ずれ及びコントラスト低下の問題をもたらす。
【０００５】
したがって、画素によろ光漏れに起因する色ずれの現象を改善でき、さらに、表示パネルの表示品質を向上できる表示パネル及び表示装置を提供することが、重要な課題となる。
【考案の概要】
【考案が解決しようとする課題】
【０００６】
本考案は、上記の点に鑑みてなされたものであって、画素によろ光漏れに起因する色ずれの現象を改善でき、さらに、表示パネルの表示品質を向上できる表示パネル及び表示装置を提供する。
【課題を解決するための手段】
【０００７】
上記目的を達成するために、本考案の表示パネルは、第１基板と、第１基板に対向して設けられた第２基板と、画素アレイと、遮光層とを含む。画素アレイは、第１基板に配置されるとともに、第１基板と第２基板との間に位置し、少なくとも１つの画素を含み、画素は、第１電極層を有し、第１電極層は、複数の電極部を有し、これら電極部は、第１方向に沿って互いに一定の距離をおいて配置される。遮光層は、第１方向に沿って第２基板に間隔をおいて配置されるとともに、第１遮光部と第２遮光部を有し、第１電極層は、第１遮光部と第２遮光部との間に対応して設けられ、第１遮光部は、第１方向に沿って第１電極層から離れた第１エッジを有し、かつこれら電極部は、第１遮光部に近い第１電極部を含む。光線が画素を通過する際に、画素は、第１方向に沿って輝度分布を有し、輝度分布は、第１電極部と第１遮光部との間に対応する第１輝度最大値を有し、第１輝度最大値は、第２基板の第１位置に対応し、かつ第１位置が第１電極部と第１遮光部との間に対応する。第１方向に沿って第１位置から第１エッジまでの最小幅をＰＴＢ、画素が第１方向に沿う幅をＰｘ、並びにＰＴＢ及びＰｘの単位をμｍとしたとき、ＰＴＢ及びＰｘは、下記の式を満たす。
【０００８】
【数１】
0003194108.tif 000003
【０００９】
上記目的を達成するために、本考案の表示装置は、表示パネルを含み、表示パネルは、第１基板と、第１基板に対向して設けられた第２基板と、画素アレイと、遮光層とを含みむ。画素アレイは、第１基板に配置されるとともに、第１基板と第２基板との間に位置し、少なくとも１つの画素を含み、画素は、第１電極層を有し、第１電極層は、複数の電極部を有し、これら電極部は、第１方向に沿って互いに一定の距離をおいて配置される。遮光層は、第１方向に沿って第２基板に間隔をおいて配置されるとともに、第１遮光部と第２遮光部を有し、第１電極層は、第１遮光部と第２遮光部との間に対応して設けられ、第１遮光部は、第１方向に沿って第１電極層から離れた第１エッジを有し、かつこれら電極部は、第１遮光部に近い第１電極部を含む。光線が画素を通過する際に、画素は、第１方向に沿って輝度分布を有し、輝度分布は、さらに、第１電極部と第１遮光部との間に対応する第１輝度最大値を有し、第１輝度最大値は、第２基板の第１位置に対応し、かつ第１位置が第１電極部と第１遮光部との間に対応する。第１方向に沿って第１位置から第１エッジまでの最小幅をＰＴＢ、画素が第１方向に沿う幅をＰｘ、並びにＰＴＢ及びＰｘの単位をμｍとしたとき、ＰＴＢ及びＰｘは、下記の式を満たす。
【００１０】
【数２】
0003194108.tif 000004
【００１１】
一実施形態において、ＰＴＢ及びＰｘは、さらに、下記の式を満たす。
【００１２】
【数３】
0003194108.tif 000005
【００１３】
一実施形態において、これら電極部は、さらに、第２遮光部に近い第２電極部を含み、輝度分布は、第２電極部と第２遮光部との間に対応する第２輝度最大値を有し、第２輝度最大値は、第２基板の第２位置に対応し、かつ第２位置が第２電極部と第２遮光部との間に対応する。第１方向に沿って第２位置から第１位置までの最大幅をｍ、第１遮光部が第１方向に沿う幅をＢ、並びにｍ及びＢの単位をμｍとしたとき、ｍ及びＢは、下記の式を満たす。
PTB＝(Px+B-m)/2
【００１４】
一実施形態において、第１電極層は、さらに、第１接続部を有し、第１接続部は、これら電極部の対向する両側に位置するとともに、これら電極部に接続される。
【００１５】
一実施形態において、第１電極層は、さらに、第２接続部を有し、第２接続部は、これら電極部の外側周縁に周設されるとともに、これら電極部に接続される。
【００１６】
上述したように、本考案の表示パネル及び表示装置において、表示パネルの画素の第１電極は、複数の電極部を有し、第１電極層は、遮光層の第１遮光部と第２遮光部との間に対応しており、第１遮光部は、第１方向に沿って第１電極から離れた第１エッジを有し、かつこれら電極部は、第１遮光部に近い第１電極部を含む。また、光線が画素を通過する際に、画素は、第１方向に沿って輝度分布を有し、輝度分布は、第１電極部と第１遮光部との間に対応する第１輝度最大値を有し、第１輝度最大値は、第２基板の第１位置に対応する。第１方向に沿って第１位置から第１エッジまでの最小幅をＰＴＢ、画素が第１方向に沿う幅をＰｘとしたとき、ＰＴＢ及びＰｘは、次式を満たす。
【００１７】
【数４】
0003194108.tif 000006
【００１８】
これにより、第１方向に沿って第１位置から第１遮光部の第１エッジまでの最小幅ＰＴＢ、及び画素が第１方向に沿う幅Ｐｘが上記の式を満たすとき、画素による光漏れに起因する色ずれ現象を改善することができる。したがって、本考案の表示パネル及び表示装置は、画素による光漏れに起因する色ずれ現象を改善でき、更に表示品質を向上できる。
【図面の簡単な説明】
【００１９】
【図１Ａ】本考案の好ましい実施形態に係る表示パネルにける隣接する２つの画素Ｐ１，Ｐ２を示す概略図である。
【図１Ｂ】図１Ａに示す表示パネルのＡ−Ａ線に沿った概略断面図である。
【図１Ｃ】表示パネルの第１電極層を示す概略図である。
【図２Ａ】図１Ｂに示す表示パネルにおいて、画素Ｐ１が明るい状態で、画素Ｐ２が暗い状態であるときに、画素Ｐ１，Ｐ２の構造、及びそれらが第１方向に沿って対応する輝度分布曲線を示す概略図である。
【図２Ｂ】図２Ａに示す画素Ｐ１の中間位置と画素Ｐ２の中間位置及びそれらが対応する輝度分布曲線を示す概略図である。
【図３Ａ】本考案の好ましい他の実施形態に係る表示パネルを示す概略図である。
【図３Ｂ】図３Ａに示す表示パネルのＢ−Ｂ線に沿った概略断面図である。
【図３Ｃ】図３Ｂの第１電極層を示す概略図である。
【図４Ａ】本考案の好ましい別の実施形態に係る表示パネルにおける１つの画素の概略構成図である。
【図４Ｂ】本考案の好ましい別の実施形態に係る表示パネルにおける１つの画素の概略構成図である。
【図５】本考案の好ましい実施形態に係る表示装置を示す概略図である。
【考案を実施するための形態】
【００２０】
以下、好ましい実施形態を例示し、添付図面を参照して詳しく説明する。同一要素には同一符号を付する。
【００２１】
図１Ａ、図１Ｂ及び図１Ｃを参照する。図１Ａは、本考案の好ましい実施形態に係る表示パネル１にける隣接する２つの画素Ｐ１，Ｐ２を示す概略図である。図１Ｂは、図１Ａに示す表示パネル１のＡ−Ａ線に沿った概略断面図である。図１Ｃは、表示パネル１の第１電極層１４１を示す概略図である。
【００２２】
表示パネル１は、ＦＦＳ（Ｆｒｉｎｇｅ  Ｆｉｅｌｄ  Ｓｗｉｔｃｈｉｎｇ）モードの液晶表示パネル又は他の横電界モードの液晶表示パネルであってもよいが、それに制限されない。なお、以下の説明を容易に理解するため、図１Ａには、表示パネル１の２本の走査線Ｓ、３本のデータ線Ｄ、２つの画素Ｐ１，Ｐ２、２つの第１電極層１４１及び遮光層ＢＭのみが表示され、表示パネル１の他の要素が表示されていない。また、図１Ａ、図１Ｂ及び図１Ｃには，第１方向Ｘ（水平方向）、第２方向Ｙ（垂直方向）及び第３方向Ｚが示されている。第１方向Ｘ、第２方向Ｙ及び第３方向Ｚが互いに実質的に垂直している。第１方向Ｘは、走査線Ｓの延伸方向に実質的に平行し、第２方向Ｙは、データ線Ｄの延伸方向に実質的に平行し、第３方向Ｚは、第１方向Ｘ及び第２方向Ｙに垂直する方向である。
【００２３】
表示パネル１は、第１基板１１と、第２基板１２と、液晶層１３とを含む。第１基板１１は、第２基板１２に対向して設けられ、液晶層１３は、第１基板１１と第２基板１２との間に介在して設けられる。第１基板１１及び第２基板１２は、透光性材料からなり、例えば、ガラス基板、石英基板、プラスチック基板であるが、これらに限定されない。
【００２４】
表示パネル１は、画素アレイをさらに含む。画素アレイは、第１基板１１に配置されるとともに、第１基板１１と第２基板１２との間に位置する。画素アレイは、少なくとも１つの画素を含む。ここで、複数画素であって、これら画素は、第１基板１１と第２基板１２との間に介在して配置されるとともに、第１方向Ｘ及び第２方向Ｙからなるマトリックス状となるように配置される。また、表示パネル１は、複数の走査線Ｓ及び複数のデータ線Ｄを含む。複数の走査線Ｓ及び複数のデータ線Ｄが互いに垂直に交差して配置されることによって、画素アレイの各画素領域が定義される。
【００２５】
画素Ｐ１を例として、画素Ｐ１は、第１電極層１４１と、第１絶縁層１４２と、第２電極層１４３と、第２絶縁層１４４とを含む。本実施形態において、第２絶縁層１４４、第２電極層１４３、第１絶縁層１４２及び第１電極層１４１は、下から上の順に第１基板１１の第２基板１２に臨む側に配置されている。
【００２６】
データ線Ｄは、第１基板１１上に配置され、第２絶縁層１４４は、データ線Ｄを覆っている。また、第２電極層１４３は、第２絶縁層１４４上に配置され、かつ第１電極層１４１と第２電極層１４３との短絡を防止するために、第１電極層１４１と第２電極層１４３とを離隔するように、第１電極層１４１と第２電極層１４３との間に第１絶縁層１４２が介在している。第１絶縁層１４２及び第２絶縁層１４４の材料は、例えば、酸化ケイ素（ＳｉＯｘ）、窒化シリコン膜（ＳｉＮｘ）であってもよいが、それに限定されない。さらに、第１電極層１４１と第２電極層１４３は、それぞれ透明導電層であって、材料がインジウムスズ酸化物であってもよいが、それに限定されない。本実施形態において、第１電極層１４１は、画素電極（ｐｉｘｅｌ  ｅｌｅｃｔｒｏｄｅ）であって、データ線Ｄに電気的に接続され、第２電極層１４３は、共通電極（ｃｏｍｍｏｎ  ｅｌｅｃｔｒｏｄｅ）である。しかし、他の実施形態では、第１電極層１４１は、共通電極であってもよく、第２電極層１４３は、画素電極であってもよい。
【００２７】
第１電極層１４１は、複数の電極部１４１１と、第１接続部１４１２とを備える。ここで、第１電極層１４１は、例えば３つの電極部１４１１と２つの第１接続部１４１２とを備える。２つの第１接続部１４１２は、それぞれ、これら電極部１４１１の対向する両側に位置するとともに、これら電極部１４１１に接続されている。また、これら電極部１４１１は、互いに一定の距離をおいて第１方向Ｘに沿って配置されている。ここで、複数の電極部１４１１は、互いに一定の距離をおいて第１方向Ｘに沿って平行に配置されている。
【００２８】
図１Ｂを再び参照する。表示パネル１は、遮光層ＢＭと、フィルター層（図示せず）とをさらに含んでもよい。遮光層ＢＭがブラックマトリックス（ｂｌａｃｋ  ｍａｔｒｉｘ）である。遮光層ＢＭは、第１方向Ｘに沿って、一定の間隔で第２基板１２に配置されると共に、データ線Ｄに対向して配置されている。ここで、遮光層ＢＭは、第１遮光層ＢＭ１と第２遮光層ＢＭ２とを含む。遮光層ＢＭは、不透明材料であり、例えば金属や樹脂である。金属は、クロム、クロミア又はクロム酸窒化化合物が挙げられる。本実施例において、遮光層ＢＭは、第２基板１２の第１基板１１に臨む側に配置され、データ線Ｄに対応し、第３方向に沿ってデータ線Ｄの上方に位置するため、正面から表示パネル１を見下ろす場合、遮光層ＢＭがデータ線Ｄを遮蔽することができる。
【００２９】
フィルター層は、第２基板１２及び遮光層ＢＭの第１基板１１に対向する側に配置され、かつ隣接するフィルター層の間に少なくとも遮光部を有する。遮光層ＢＭが不透明材料であるため、第２基板１２上に不透明な領域が形成され、さらに、透明な領域を定義することができる。したがって、光線が画素Ｐ１，Ｐ２を通過する際、画素Ｐ１，Ｐ２には発光領域（即ち、光線が画素Ｐ１，Ｐ２を通過できる領域）を有する。また、表示パネル１は、保護層（例えばオーバーコーティング、図示せず）をさらに含んでもよい。保護層は、遮光層ＢＭ及びフィルター層を覆うことができる。保護層の材料は、その後の製造プロセスの影響から破壊されないように、遮光層ＢＭ及びフィルター層を保護するためのフォトレジスト材料、樹脂材料又は無機材料（例えば、のＳｉＯｘ／のＳｉＮｘ）等であってもよい。
【００３０】
表示パネル１の複数の走査線Ｓが操作信号を受信すると、各走査線Ｓが対応する薄膜トランジスタ（図示せず）をオンにし、複数のデータ線Ｄを介して、各列画素のデータ信号を対応する複数の画素電極に伝送することによって、表示パネル１に画像を表示させることができる。本実施例において、各データ線Ｄを介して、階調電圧を各画素の第１電極層１４１（画素電極）に伝送し、第１電極層１４１と第２電極層１４３（共通電極）との間に電界が形成されることによって、液晶層１３の液晶分子を第１方向Ｘ及び第２方向Ｙからなる平面に回転させ、さらに、光線が調整され、表示パネル１に画像を表示させる。
【００３１】
しかし、第１電極層１４１と第２電極層１４３が形成された電界によって液晶分子を回転させる場合、隣接する画素Ｐ１，Ｐ２において、例えば、画素Ｐ１が明るい状態で、画素Ｐ２が暗い状態であるときに、暗状態の画素Ｐ２が明状態の画素Ｐ１の電界分布の影響を受け、暗い状態である画素Ｐ２の明い状態である画素Ｐ１に近いエッジにある液晶分子も回転し、さらに、暗い状態である画素Ｐ２による光漏れの現象が生じるため、液晶表示パネルの色ずれ及びコントラスト低下の問題をもたらす。そのため、この問題を解決するために、遮光層ＢＭの遮光範囲を定義する必要がある。
【００３２】
以下、図２Ａ及び図２Ｂを参照する。図２Ａは、図１Ｂに示す表示パネル１において、画素Ｐ１が明るい状態で、画素Ｐ２が暗い状態であるときに、画素Ｐ１，Ｐ２の構造、及びそれらが第１方向に沿って対応する輝度分布曲線Ｌを示す概略図である。図２Ｂは、図２Ａに示す画素Ｐ１の中間位置と画素Ｐ２の中間位置及びそれらが対応する輝度分布曲線Ｌを示す概略図である。ここで、図２Ｂは、半分の画素Ｐ１及び半分の画素Ｐ２の構造、及びその構造が対応する輝度分布曲線Ｌを示す。また、図２Ｂの縦軸に示す輝度が正規化（即ち、最大輝度を「１」で表す）された。なお、画素Ｐ１の明るい状態とは、画素Ｐ１が最も明るい状態の輝度であり、つまり、画素Ｐ１が１００％階調の輝度の状態（即ち、全明の状態）である。
【００３３】
図２Ａに示すように、第１電極層１４１は、第１遮光部ＢＭ１と第２遮光部ＢＭ２との間に対応する。これら電極部１４１１は、第１遮光部ＢＭ１に近い第１電極部１４１１ａと、第２遮光部ＢＭ２に近い第２電極部１４１１ｂとを含む。また、第１遮光部ＢＭ１は、第１方向Ｘに沿って、第１電極層１４１（第１電極部１４１１ａ）から離れた第１エッジＥ１を有し、第２遮光部ＢＭ２は、第１方向Ｘに沿って、第１電極層１４１（第２電極部１４１１ｂ）に近い第２エッジＥ２を有する。画素の幅Ｐｘは、画素Ｐ１が第１方向Ｘに沿う幅である。言い換えれば、幅Ｐｘは、第１エッジから第２エッジまでの幅であり、例えば、５≦Ｐｘ≦５００（μｍ）。又は、幅Ｐｘは、第１方向Ｘに沿って、第１遮光部ＢＭ１の中間と第２遮光部ＢＭ２の中間との距離であってもよい。
【００３４】
図２Ａに示すように、光線が画素Ｐ１を通過し、画素Ｐ１が明るい状態となり、かつ光線が画素Ｐ２を通過せず、画素Ｐ２が暗い状態となる場合、画素Ｐ１は、第１方向Ｘに沿う輝度分布（即ち、輝度分布曲線Ｌ）を有する。ここで、光線が画素Ｐ１を通過する輝度分布とは、光線が第３方向Ｚに沿って画素Ｐ１のほぼ中間位置を通過する輝度分布を指す。また、輝度分布曲線Ｌは、第１電極部１４１１ａと第１遮光部ＢＭ１との間に対応する第１輝度最大値を有し、かつ第１輝度最大値は、第２基板１２の第１位置Ｘ１に対応する。さらに、輝度分布は、第２電極部１４１１ｂと第２遮光部ＢＭ２との間に対応する第２輝度最大値を有し、かつ第２輝度最大値は、第２基板１２の第２位置Ｘ２に対応する。本実施例において、第１位置Ｘ１が図２Ａに示す画素Ｐ１の右側にあり、第２位置Ｘ２が図２Ａに示す画素Ｐ１の左側にある。しかし、他の実施形態において、第１輝度最大値が対応する第１位置Ｘ１及び第２輝度最大値が対応する第２位置Ｘ２は、交換してもよく、特に限定されない。上述した第１位置Ｘ１が第１電極部１４１１ａと第１遮光部ＢＭ１との間に対応するということは、第２基板１２における第１位置Ｘ１は、第１電極部１４１１ａの左側のエッジと、第１遮光部ＢＭ１の右側のエッジとの間に対応し、即ち、第１電極部１４１１ａ及び第１遮光部ＢＭ１が第１方向Ｘに沿う幅を含むことを指す。また、第２位置Ｘ２は、第２電極部１４１１ｂと第２遮光部ＢＭ２との間に対応するということは、第２基板１２における第２位置Ｘ２は、第２電極部１４１１ｂの右側のエッジと、第２遮光部ＢＭ２の左側のエッジとの間に対応し、即ち、第２電極部１４１１ｂ及び第２遮光部ＢＭ２が第１方向Ｘに沿う幅を含むことを指す。
【００３５】
また、ｍは、第１方向Ｘに沿って第２位置Ｘ２から第１位置Ｘ１までの最大幅であり、Ｂは、第１遮光部ＢＭ１（又は第２遮光部ＢＭ２）が第１方向Ｘに沿う幅である。したがって、第１方向Ｘに沿って第１位置Ｘ１から第１エッジＥ１までの最小幅ＰＴＢ＝（Ｐｘ＋Ｂ−ｍ）／２、かつＰＴＢ、Ｐｘ、Ｂ、ｍの単位がμｍである。
【００３６】
また、図２Ｂに示すように、画素Ｐ１が明るい状態で、画素Ｐ２が暗い状態であるときに、光線の一部は画素Ｐ２の領域内（図２Ｂの領域Ｃ）に表示される。輝度分布曲線Ｌの画素Ｐ１に対応する面積（Ｐ１Ｗ１＋Ｐ１Ｗ２、輝度分布曲線Ｌの積分はエネルギーを表す）が画素Ｐ２に対応する面積（即ち、領域Ｃの面積、Ｐ２Ｄ１）よりはるかに大きければ、画素Ｐ２による光漏れの現象を最小限に抑え、画素Ｐ２によろ光漏れに起因する色ずれの現象を改善することができる。具体的に、２倍のＰ１Ｗ１と２倍のＰ１Ｗ２を足す面積と、２倍のＰ２Ｄ１の面積との比が十分に大きければできる。ここで、色ずれの程度を定量化するために、パラメータＣＲを定義する。即ち、ＣＲ＝２（Ｐ１Ｗ１＋Ｐ１Ｗ２）／２Ｐ２Ｄ１＝（Ｐ１Ｗ１＋Ｐ１Ｗ２）／Ｐ２Ｄ１。
【００３７】
図２Ｂに示すＰ１Ｗ１の面積をＡとし、Ａは略矩形であり、かつ面積が約１＊（Ｐｘ／２−ｔ−Ｂ／２）である。また、位置０（即ち、第１位置Ｘ１）から右の無限大までの輝度分布曲線Ｌの等価が指数関数ｅ−ｋｘ（Ｋは、例えば０．８であるが、これに限定されず）である。ゆえに、Ｐ１Ｗ２、Ｐ２Ｄ１が下記式を満たす。
【００３８】
【数５】
0003194108.tif 000007
【００３９】
【数６】
0003194108.tif 000008
【００４０】
かつＣＲが下記式を満たす。
【００４１】
【数７】
0003194108.tif 000009
【００４２】
Ａ＝Ｐｘ／２−ｔ−Ｂ／２、ｋ＝０．８を上記式に代入し、計算した結果を以下に示す。
【００４３】
【数８】
0003194108.tif 000010
【００４４】
一般的に、ＣＲの値が１０００（ＣＲ≧１０００）以上である場合には、光漏れに起因する色ずれが人間の目で視認できない許容範囲にある。したがって、ＰＴＢ（ＰＴＢ＝ｔ＋Ｂ）（ＰＴＢは、第１方向Ｘに沿って第１位置Ｘ１から第１エッジＥ１の最小幅である）、及びＰｘは、下記式（ＰＴＢの下限値を表す）を満たす。
【００４５】
【数９】
0003194108.tif 000011
【００４６】
また、図２Ａを再び参照する。画素Ｐ１において、Ｐｘ＋Ｂ＝左側のＰＴＢ＋ｍ＋右側のＰＴＢ。理論的には、左側のＰＴＢの値が右側のＰＴＢの値に等しいが、実際の製造プロセスでは、画素Ｐ１における左側のＰＴＢ及び右側のＰＴＢの値は、製造プロセスでの変動によって若干異なる可能性がある。そのため、遮光部が遮光していない色漏れ領域が大きくなり、ＣＲの値が減少し、色ずれに影響をもたらす。したがって、色ずれを許容範囲内に保持するために、製造プロセスでの変動（一般に５μｍより小さい）を考慮し、ＰＴＢの上限値を加え、ＰＴＢ及びＰｘは下記式を満たす。
【００４７】
【数１０】
0003194108.tif 000012
【００４８】
ＰＴＢ及びＰｘが上記式を満たす場合、画素Ｐ２による光漏れに起因する色ずれの現象を改善することができる。さらに、表示パネル１の表示品質を向上するために、ＰＴＢ及びＰｘは下記式を満たすことが好ましい。
【数１１】
0003194108.tif 000013
【００４９】
また、図３Ａ、図３Ｂ及び図３Ｃを参照する。図３Ａは、本考案の好ましい他の実施形態に係る表示パネル１ａを示す概略図である。図３Ｂは、図３Ａに示す表示パネル１ａのＢ−Ｂ線に沿った概略断面図である。図３Ｃは、図３Ｂに示す第１電極層１４１ａを示す概略図である。ここで、図３Ａ及び図３Ｂでは、１つの画素Ｐ１ａのみを示す。
【００５０】
表示パネル１ａと表示パネル１との主な違いは、表示パネル１ａにおける第１電極層１４１ａが共通電極であり、第２電極層１４３が画素電極である点にある。図３Ｂ及び図３Ｃに示すように、第１電極層１４１ａは、３つの電極部１４１１と、１つの第２接続部１４１３とを有する。第２接続部１４１３は、これら電極部１４１１の外側周縁に周設されるとともに、これら電極部１４１１に接続される。また、第１絶縁層１４２は、第２電極層１４３及びデータ線Ｄを覆い、第１電極層１４１ａは、第１絶縁層１４２上に配置される。ここで、第１電極層１４１ａと第２電極層１４３との短絡を防止するために、第１電極層１４１ａと第２電極層１４３とを離隔するように、第１電極層１４１ａと第２電極層１４３（及びデータ線Ｄ）との間に第１絶縁層１４２が介在している。
【００５１】
さらに、図４Ａ及び図４Ｂをそれぞれ参照する。図４Ａは、本考案の好ましい別の実施形態に係る表示パネル１ｂにおける１つの画素Ｐ１ｂの概略構成図である。図４Ｂは、本考案の好ましい別の実施形態に係る表示パネル１ｃにおける１つの画素Ｐ１ｃの概略構成図である。
【００５２】
図４Ａに示すように、表示パネル１ｂと表示パネル１との主な違いは、表示パネル１ｂにおいて、第２方向Ｙはてデータ線Ｄの延伸方向に実質的に平行であるが、第１方向Ｘは第２方向Ｙに垂直ではなく、鈍角となる点にある。そのため、画素Ｐ１ｂが略平行四辺形である。言い換えれば、本実施形態の表示パネル１ｂにおける複数の走査線Ｓ及び複数のデータ線Ｄは互いに交差して配置されるが、互いに垂直ではなく、鈍角となるため、画素Ｐ１ｂ、第１電極層１４１ｂが実質的に平行四辺形の形状となる。
【００５３】
また、図４Ｂに示すように、表示パネル１ｃと表示パネル１との主な違いは、表示パネル１ｃの画素Ｐ１ｃにおいて、データ線Ｄが湾曲部を有するため、画素Ｐ１ｃは平行四辺形ではなく、データ線Ｄの湾曲部に対応する湾曲の形状を有する点にある。さらに、第１電極層１４１ｃの電極部１４１１のそれぞれも、画素Ｐ１ｃに対応する湾曲部を有する。
【００５４】
なお、表示パネル１ａ、表示パネル１ｂ及び表示パネル１ｃのほかの構成要素について、表示パネル１の同一構成要素を参照して、ここで説明は省略する。
【００５５】
また、図５は、本考案の好ましい実施形態に係る表示装置２を示す概略図である。
【００５６】
表示装置２は、表示パネル３と、表示パネル３に対向して配置されたバックライトモジュール４（Ｂａｃｋｌｉｇｈｔ  Ｍｏｄｕｌｅ）とを含む。表示パネル３は、上述した表示パネル１，１ａ，１ｂ，１ｃのいずれか１つであってもよく、説明は省略する。バックライトモジュール４によって放出した光線Ｅが表示パネル３を通過すると、表示パネル３における各画素により色が表示されることによって、画像が形成されることができる。
【００５７】
上述したように、本考案の表示パネル及び表示装置において、表示パネルの画素の第１電極は、複数の電極部を有し、第１電極層は、遮光層の第１遮光部と第２遮光部との間に対応しており、第１遮光部は、第１方向に沿って第１電極から離れた第１エッジを有し、かつこれら電極部は、第１遮光部に近い第１電極部を含む。また、光線が画素を通過する際に、画素は、第１方向に沿って輝度分布を有し、輝度分布は、第１電極部と第１遮光部との間に対応する第１輝度最大値を有し、第１輝度最大値は、第２基板の第１位置に対応する。第１方向に沿って第１位置から第１エッジまでの最小幅をＰＴＢ、画素が第１方向に沿う幅をＰｘとしたとき、ＰＴＢ及びＰｘは、次式を満たす。
【００５８】
【数１２】
0003194108.tif 000014
【００５９】
これにより、第１方向に沿って第１位置から第１遮光部の第１エッジまでの最小幅ＰＴＢ、及び画素が第１方向に沿う幅Ｐｘが上記の式を満たすとき、画素による光漏れに起因する色ずれ現象を改善することができる。したがって、本考案の表示パネル及び表示装置は、画素による光漏れに起因する色ずれ現象を改善でき、更に表示品質を向上できる。
【００６０】
本考案の好適な実施形態を前述の通り開示したが、これらは決して本考案を限定するものではない。当業者は、本考案の趣旨を逸脱しない限り適宜変更が可能である。本考案の権利範囲は、添付請求の範囲によって限定されるものである。
【符号の説明】
【００６１】
１、１ａ〜１ｃ、３  表示パネル
１１  第１基板
１２  第２基板
１３  液晶層
１４１、１４１ａ、１４１ｂ、１４１ｃ  第１電極層
１４１１  電極部
１４１１ａ  第１電極部
１４１１ｂ  第２電極部
１４１２  第１接続部
１４１３  第２接続部
１４２  第１絶縁層
１４３  第２電極層
１４４  第２絶縁層
２  表示装置
４  バックライトモジュール
ａ  位置
Ａ−Ａ、Ｂ−Ｂ  直線
Ｂ、Ｐｘ、ｔ  幅
ＢＭ  遮光層
ＢＭ１  第１遮光部
ＢＭ２  第２遮光部
Ｃ  領域
Ｄ  データ線
Ｅ  光線
Ｅ１  第１エッジ
Ｅ２  第２エッジ
Ｌ  輝度分布曲線
ｍ  最大幅
Ｐ１、Ｐ２、Ｐ１ａ、Ｐ１ｂ、Ｐ１ｃ  画素
Ｐ１Ｗ１、Ｐ１Ｗ２、Ｐ２Ｄ１  面積
ＰＴＢ  最小幅
Ｓ  走査線
Ｘ  第１方向
Ｘ１  第１位置
Ｘ２  第２位置
Ｙ  第２方向
Ｚ  第３方向
【図１Ａ】
0003194108.tif 000019
【図１Ｂ】
0003194108.tif 000020
【図１Ｃ】
0003194108.tif 000021
【図２Ａ】
0003194108.tif 000022
【図２Ｂ】
0003194108.tif 000023
【図３Ａ】
0003194108.tif 000024
【図３Ｂ】
0003194108.tif 000025
【図３Ｃ】
0003194108.tif 000026
【図４Ａ】
0003194108.tif 000027
【図４Ｂ】
0003194108.tif 000028
【図５】
0003194108.tif 000029